(57)【要約】【課題】  本発明は、一種の割に大きい且つ操作に便利な稼動アームの操作空間を有する電気コネクタを提供することを目的とする。【解決手段】  本発明の電気コネクタは、チップモジュールと回路基板とを電気的に接続することに用いられ、回路基板に取付けられるベースと、ベースの一端に可動的に枢設蓋体と、前記の蓋体をベースに押さえる稼動アームと、を備える。前記稼動アームは、接続部と、接続部の末端が曲げることによって形成する曲がり部と、曲がり部の末端から伸びる操作部とを含み、前記稼動部が押圧部を動かすために水平位置と垂直位置の間で回転でき、前記蓋体に押圧部と結合する鉤が設けられる。その中、曲がり部と操作部の平面が接続部と枢設部の平面に対して傾斜して伸び、電気コネクタの閉じる時、操作部と回路基板の距離を接続部と回路基板より大きくさせる。【選択図】  図２
2004335437.tif 000002
【特許請求の範囲】
【請求項１】
チップモジュールと回路基板とを電気的に接続することに用いられる電気コネクタであって、
回路基板に取付けられ、チップモジュールを搭載することに用いられるベースと、
ベースに可動的に設けられる蓋体と、
ベースに可動的に設けられた枢設部と枢設部から延びる稼働部を含む稼働アームと、を備え、
前記稼働部はまた接続部と曲がり部及び操作部を含み、前記電気コネクタが閉じる時、操作部と回路基板の間の距離が接続部と回路基板の距離より大きいことを特徴とする電気コネクタ。
【請求項２】
前記稼働部の曲がり部は半円形に設けられていることを特徴とする請求項１に記載の電気コネクタ。
【請求項３】
前記操作部は接続部と平行していることを特徴とする請求項１に記載の電気コネクタ。
【請求項４】
前記曲がり部は接続部と枢設部の平面に対して回路基板から離れる方向へ延伸されることを特徴とする請求項１に記載の電気コネクタ。
【請求項５】
前記ベースは稼働アームの接続部と結合している鉤が設けられていることを特徴とする請求項１記載の電気コネクタ。
【請求項６】
チップモジュールと回路基板とを電気的に接続することに用いられる電気コネクタであって、
回路基板に取付けられ、チップモジュールを搭載することに用いられるベースと、
ベースに可動的に設けられる蓋体と、
ベースに可動的に設けられた枢設部と枢設部から延びる稼働部を含む稼働アームと、を備え、
稼働部に枢設部から延びる接続部と前記接続部を曲げることによって形成した操作部が設けられ、前記電気コネクタを閉じる時、操作部において、操作部と回路基板の間の距離が接続部と回路基板の間の距離より大きい点が少なくとも一つあることを特徴とする電気コネクタ。
【請求項７】
前記稼働部はまた接続部と操作部を接続している曲がり部が設けられることを特徴とする請求項６記載の電気コネクタ。
【請求項８】
前記稼働部の曲がり部は半円形に設けられていることを特徴とする請求項７記載の電気コネクタ。
【請求項９】
前記操作部は接続部と平行していることを特徴とする請求項７に記載の電気コネクタ。
【請求項１０】
前記曲がり部は接続部と枢設部の平面に対して回路基板から離れる方向へ延伸されることを特徴とする請求項６に記載の電気コネクタ。
【請求項１１】
前記ベースは稼働アームの接続部と結合している鉤が設けられていることを特徴とする請求項６記載の電気コネクタ。
【請求項１２】
チップモジュールと回路基板とを電気的に接続することに用いられる電気コネクタであって、
回路基板に取付けられ、チップモジュールを搭載することに用いられるベースと、
ベースに可動的に設けられる蓋体と、
ベースに可動的に設けられ、枢設部と枢設部から延びる稼働部を含む稼働アームと、を備え、
前記電気コネクタが閉じる時、稼働部の平面が回路基板の平面と傾斜して交わっていることを特徴とする電気コネクタ。
【請求項１３】
前記稼働部はまた接続部と曲がり部及び操作部が設けられることを特徴とする請求項１２に記載の電気コネクタ。
【請求項１４】
前記稼働部の曲がり部は半円形に設けられていることを特徴とする請求項１３に記載の電気コネクタ。
【請求項１５】
前記操作部は接続部と平行していることを特徴とする請求項１３記載の電気コネクタ。
【請求項１６】
前記曲がり部は接続部と枢設部の平面に対して回路基板から離れる方向へ延伸されることを特徴とする請求項１３に記載の電気コネクタ。
【請求項１７】
前記ベースは稼働アームの接続部と結合している鉤が設けられていることを特徴とする請求項１２記載の電気コネクタ。
【発明の詳細な説明】
【技術分野】
【０００１】
本発明は、一種の電気コネクタに関し、特にＬＧＡチップモジュールと回路基板とを電気的に接続するために用いられ、且つ、より良好な操作性能を持っている電気コネクタに関するものである。
【背景技術】
【０００２】
ＬＧＡコネクタはＬＧＡチップモジュールと回路基板とを電気的に接続することに通常に使われ、且つ、該電気コネクタとチップモジュールとの間に押え方式で二者の導電部材の接触を達成し、且つ、二者の安定的電気的な接続を達成する。相関する技術は非特許文献１を参照する。
【０００３】
図１を参照すると、従来のＬＧＡ電気コネクタ７はベース７１と、該ベース７１の外囲に設置される筐体７２と、ベース７１に回転可能に枢設される蓋体７２と、蓋体７２をベース７１に押される稼動アーム７３とを備える。前記稼動アーム７３に枢設部７３１と押圧部７３２及び稼動部７３３を含める。前記稼動部７３３は押圧部７３２を動かすために水平の位置と垂直の位置の間に回転され、蓋体７２に押圧部７３２と結合する鉤７２１が設けられる。ＬＧＡチップモジュールは電気コネクタ７に取り付けられた後、蓋体７２を閉じ、且つ、稼動部７３３を動かし、押圧部７３２を蓋体７２の鉤７２１に押させ、ＬＧＡチップモジュールと電気コネクタ７の間の固着力を保証し、そこで、両者の間でしっかりと電気的に接続することを保証することになる。相関する技術は特許文献２を参照する。
【０００４】
しかし、電気コネクタ７が閉じている時、稼動アーム７３の稼動部７３３が水平の位置にあって、それと回路基板の間の距離はとても小さい、そこで、操作者が手で稼動部７３３を起こす時、操作の空間が小さいので、操作者の指が回路基板あるいは他の電気素子に容易に触れられるので、操作に不便である。前記の欠点を克服するために一種の新式の電気コネクタを設計するのは必要である。
【非特許文献１】「ノンリニア  アナラシス  ヘルプス  デザイン  エルジーエー  コネクタ（Nonlinear Analysis Helps Design LGA Connector）」”、［online］、２００１年２月、コネクタ  スペシファイア（CONNECTOR SPECIFIER）
【特許文献２】米国特許第６４８５３２０２００１号明細書
【発明の開示】
【発明が解決しようとする課題】
【０００５】
本発明は一種のイジェクト機構のカムレバー自由端の運動に制限されて、かつ構成が簡単な記憶カードコネクタを提供することを目的とする。
【課題を解決するための手段】
【０００６】
本発明の電気コネクタはチップモジュールと回路基板とを電気的に接続することに用いられ、回路基板に取付けられるベースと、ベースの一端に可動的に枢設蓋体と、前記の蓋体をベースに押さえる稼動アームと、を備える。前記稼動アームに接続部と、接続部の末端が曲がることによって形成する曲がり部と、曲がり部の末端から伸びる操作部とを含め、前記稼動部が押圧部を動かすために水平位置と垂直位置の間で回転でき、前記蓋体に押圧部と結合する鉤が設けられる。ＬＧＡチップモジュールが電気コネクタに取り付けられる時、蓋体を閉じ且つ稼動部を動かし、押圧部を蓋体の鉤に押さえ、ＬＧＡチップモジュールと電気コネクタの間の固着力を確保し、そこで、両者の穏定的に電気的に接続することを確保する。その中、曲がり部と操作部の平面が接続部と枢設部の平面に対して傾斜して伸び、電気コネクタの閉じる時、操作部と回路基板の距離を接続部と回路基板より大きくさせる。
【発明の効果】
【０００７】
従来の技術と比べて、本発明の利点に電気コネクタが閉じる時、操作部と回路基板の距離が接続部と回路基板より大きくされ、そこで、稼動部の操作空間を増し、操作に便利である。
【発明を実施するための最良の形態】
【０００８】
図２と図３を参照すると、本発明の電気コネクタ１は表面押さえの形式でＬＧＡチップモジュール５と回路基板６を電気的に接続し、ベース２とベースに可動的に設けられる蓋体３及び稼動アーム４と、を備える。
【０００９】
ベース２にＬＧＡチップモジュール５を受ける受け部２３が設けられ、前記受け部２３の一端に蓋３を枢設する第一枢設部２１が設けられ、ベース２と前記第一枢設部２１のもう一端に稼動アーム４と枢設する第二枢設部２２が設けられ、且つ、第一枢設端２１と第二枢設端２２を垂直に接続する側面に鉤２４が設けられる。
【００１０】
蓋体３は内部に開口を有する矩形の構成であって、ベース２の第一枢設端２１に枢設される枢設端３１と、枢設端３１と対向する一端に位置し且つ外側へ伸びる鉤３２と、ＬＧＡチップモジュール５をベース２に押圧するケースとを備える。
【００１１】
図２〜図５を参照すると、稼働アーム４はベース２に枢設される枢設部４１と、枢設部４１から凸設された押圧部４２と、稼働部４３とを備え、前記稼働部４３はまた稼働部４３から延伸接続部４３１と、接続部４３１の末端から伸び且つ曲がる曲がり部４３２と、曲がり部４３２の末端から伸びる操作部４３３とを備え、その中、曲がり部４３２は半円形にさせ、操作部４３３は接続部４３１と平行とされ、曲がり部４３２と操作部４３３は同一の平面であって且つ前記曲がり部４３２と枢設部４１の平面に対して回路基板６から離れる方向に伸び、それで、電気コネクタ１を閉じる時、操作部４３３と回路基板６の距離は接続部４３１と回路基板６の距離より大きい。稼働アーム４の枢設部４１はベース２の第二枢設端２２に枢設され、稼働部４３を外力によって水平と垂直位置の間に回転させ、且つ、押圧部４２を回転させ、こうして、蓋体３の鉤３２を押さえるあるいは緩める。
【００１２】
図３と図４を参照すると、電気コネクタ１を開ける時、稼働アーム４の接続部４３１が垂直位置にある。ＬＧＡチップモジュール５がベース２の受け部２３に取り付けられた時、蓋体３を回転し、ケース３３をＬＧＡチップモジュール５に被せ、こうして、蓋３の鉤３２は稼働アーム４の押圧部４２にちょうど向かわせ、稼働部４３を回転し、押圧部４２を蓋体３の鉤３２に押さえるまでいっしょに回転させ、稼働アーム４の接続部４３１を水平位置にさせ、こうして、稼働アーム４の接続部４３１がベース２の鉤２４に引っ掛けさせるので、動きを止め、そこで、蓋体３のケース３３をＬＧＡチップモジュール５に押さえて、しっかりと接続するのに必要な支持力を提供する。
【００１３】
本発明の技術を通じて、稼働アーム４の稼働部４３に曲がり部４３２と操作部４３３が設けられ、曲がり部４３２と操作部４３３の平面は接続部４３１と枢設部４１の平面に対して傾斜して伸び、電気コネクタ１を閉じる時、操作部４３３と回路基板６の距離は接続部４３１と回路基板６の距離よりおおきくし、こうして、操作空間を大きくさせ、操作者に稼働アーム４の操作部４３３を容易に制御させ、そこで、操作者が回路基板６あるいは他の電気素子に触れることは免れられ、操作に便利である。
【００１４】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【産業上の利用可能性】
【００１５】
本発明は、一種の電気コネクタに関し、特にＬＧＡチップモジュールと回路基板とを電気的に接続するために用いられ、且つ、より良好な操作性能を持っている電気コネクタに関するものである。
【図面の簡単な説明】
【００１６】
【図１】従来の電気コネクタの分解斜視図である。
【図２】本発明の電気コネクタの分解斜視図である。
【図３】本発明の電気コネクタは開放状態にある分解斜視図である。
【図４】本発明の電気コネクタ閉鎖状態にある斜視図である。
【図５】従来の電気コネクタは閉鎖状態にある側面視図である。
【符号の説明】
【００１７】
１  電気コネクタ
２  ベース
３  蓋
４  稼働アーム
５  ＬＧＡチップモジュール
６  回路基板
２１  第一枢設端
２２  第二枢設端
２３  受け部
３１  枢設端
３２  鉤
３３  ケース
４１  枢設部
４２  押圧部
４３  稼働部
４３１  接続部
４３２  曲り部
４３３  操作部
【図１】
2004335437.tif 000003
【図２】
2004335437.tif 000004
【図３】
2004335437.tif 000005
【図４】
2004335437.tif 000006
【図５】
2004335437.tif 000007